(57)【要約】【課題】ガゼット袋の大きく開口する開口部を施蓋するフラップを備えることで、より多用途、広範囲な使用が可能になるフラップ付きガゼット袋及びその製造方法を提供する。【解決手段】左右両側面にガゼット４が形成された袋体１を設ける。該袋体１の開口部に設けられ該開口部を開閉自在に施蓋するフラップ５を設ける。袋体１の後側面３に前側面２の上端部より上方に延長されたヘッダー部３Ａを備える。該ヘッダー部３Ａの前面に開口部から前側面２にかけて覆うフラップ５を設ける。該フラップ５と前側面２とのいずれか一方又は両方にフラップ５と前側面２とを着脱自在に接合せしめる接合部材を設ける。【選択図】  図１
2011073772.tif 000002
【特許請求の範囲】
【請求項１】
左右側面にガゼットが形成された合成樹脂製の袋体と、該袋体の開口部に設けられ該開口部を開閉自在に施蓋するフラップとで構成するフラップ付きガゼット袋であって、
袋体の後側面は前側面の上端部より上方に延長されたヘッダー部を備え、
該ヘッダー部の前面に開口部から前側面にかけて覆うフラップが設けられ、
該フラップと前側面とのいずれか一方又は両方に、フラップと前側面とを着脱自在に接合せしめる接合部材を設けたことを特徴とするフラップ付きガゼット袋。
【請求項２】
前記接合部材は、前記フラップと前記前側面とのいずれか一方に設けられた粘着テープとする請求項１記載のフラップ付きガゼット袋。
【請求項３】
前記接合部材は、前記フラップと前記前側面との双方に設けられた互いに接合自在なジッパー又は面ファスナーとする請求項１記載のフラップ付きガゼット袋。
【請求項４】
左右側面にガゼットが形成された袋体と、該袋体の開口部に設けられ該開口部を開閉自在に施蓋するフラップとで構成するフラップ付きガゼット袋の製造方法であって、
袋体の前側面を形成する前側面シートに、前側面の上端部より上方に延長されるヘッダー部を形成するヘッダーシートが一体に形成された後側面シートを平行に重合する重合工程と、
後側面シートのヘッダーシート前面にフラップを形成するフラップシートを装着するフラップシート装着工程と、
フラップと前側面とを着脱自在に接合せしめる接合部材を、前側面シートの前面とフラップシートの後面とのいずれか一方又は両方に予め接着しておく接合部材接着工程と、
前側面シートと後側面シートとの間に側面用のガゼットを形成せしめるガゼット帯体を挿入して溶着するガゼット帯体溶着工程と、
ガゼット帯体が溶着された前側面シートと後側面シート及びフラップシートとヘッダーシートとをガゼット帯体が左右に二分される位置でカットするカット工程と、
を有することを特徴とするフラップ付きガゼット袋の製造方法。
【請求項５】
前記フラップシート装着工程において、前記ヘッダーシートの前面に前記フラップシートを溶着して装着する請求項４記載のフラップ付きガゼット袋の製造方法。
【請求項６】
前記フラップシート装着工程において、前記ヘッダーシートの上端部から前記フラップシートを延長形成し、該フラップシートを前側面シート方向へ折り加工する請求項４記載のフラップ付きガゼット袋の製造方法。
【請求項７】
前記接合部材配設工程において、粘着面に剥離シートが付着され該粘着面でフラップと前側面とを着脱自在に接合せしめる粘着テープを、前記前側面シートの前面と前記フラップシートの後面とのいずれか一方に予め接着する請求項４又は５記載のフラップ付きガゼット袋の製造方法。
【請求項８】
前記接合部材配設工程において、前記フラップと前記前側面との双方に、互いに接合自在なジッパー又は面ファスナーを接着する請求項４乃至６いずれか記載のフラップ付きガゼット袋の製造方法。
【発明の詳細な説明】
【技術分野】
【０００１】
本発明は、合成樹脂製のガゼット袋の開口部に設けたフラップを袋前面に着脱自在に接着させることができるフラップ付きガゼット袋及びその製造方法に関する。
【背景技術】
【０００２】
開口部に設けたフラップで、この開口部を開閉自在に施蓋するタイプの包装用袋は、収納物を出し入れすることができるので、多くの包装用袋に使用されている。更に、袋側面にマチ部を設けた横ガゼットタイプの袋は、平袋に比べて収納容積が大きく、しかも自立可能になるので、広い用途で使用されている。
【０００３】
特許文献１は、平袋の開口部にフラップを設けた万引き防止機能付きの包装用袋が記載されている。この包装用袋には、特に陳列棚の吊杆に吊下げるためのヘッダー部を設けており、このヘッダー部に万引き防止検知タグを装着したものである。
【０００４】
特許文献２は、袋の底部に開口部とフラップを設け、袋の上部にヘッダー部を設けた不正開封を防止する包装袋が記載されている。この包装袋では、フラップの接着手段を工夫することで不正開封を防止しようとするものである。
【０００５】
特許文献３は、袋体の上部に開口部と該開口部を開封自在に閉じるジッパーを設けたガゼット袋が記載されている。このガゼット袋は、ガゼット袋の開口部にジッパー部材の装着を簡易にしようとするものなので、フラップやヘッダー部の構成は記載されていない。
【先行技術文献】
【特許文献】
【０００６】
【特許文献１】実開平７‐３１６３６号公報
【特許文献２】特許第３３７２８７５号公報
【特許文献３】特許第３１００７４９号公報
【発明の概要】
【発明が解決しようとする課題】
【０００７】
特許文献１の包装用袋のごとく、袋の上部に開口部とフラップが構成することで、広い用途に使用可能になる。ところが、特許文献１は平袋を使用しているので、容量が少なく自立性がないので、ヘッダー部による展示用の包装袋に限定されている。
【０００８】
また、特許文献２の如く、包装用袋の下端部に開口部やフラップを形成する包装袋では自立させることができず、ヘッダー部を利用して展示する包装袋に限られるなど、用途が限定される不都合がある。
【０００９】
一方、特許文献３の如く、ガゼット袋の開口部にジッパーを設けた包装袋は、多用途、広範囲な使用が可能になる。しかしながら当業界において、このようなガゼット袋にフラップを装着することは、製造上極めて困難なこととされており、従来では、開口部にフラップを備えたガゼット袋はこれまで提供されていなかった。
【００１０】
そこで本発明は上述の課題を解消すべく創出されたもので、より多用途、広範囲な使用が可能になるフラップ付きガゼット袋及びその製造方法の提供を目的とするものである。
【課題を解決するための手段】
【００１１】
上述の目的を達成すべく本発明における第１の手段は、左右側面にガゼット４が形成された合成樹脂製の袋体１と、該袋体１の開口部に設けられ該開口部を開閉自在に施蓋するフラップ５とで構成するフラップ付きガゼット袋であって、袋体１の後側面３は前側面２の上端部より上方に延長されたヘッダー部３Ａを備え、該ヘッダー部３Ａの前面に開口部から前側面２にかけて覆うフラップ５が設けられ、該フラップ５と前側面２とのいずれか一方又は両方に、フラップ５と前側面２とを着脱自在に接合せしめる接合部材を設けたことにある。
【００１２】
第２の手段の前記接合部材は、前記フラップ５と前記前側面２とのいずれか一方に設けられた粘着テープ６とする。
【００１３】
第３の手段の前記接合部材は、前記フラップ５と前記前側面２との双方に設けられた互いに接合自在なジッパー又は面ファスナーとするものである。
【００１４】
第４の手段は、左右側面にガゼット４が形成された袋体１と、該袋体１の開口部に設けられ該開口部を開閉自在に施蓋するフラップ５とで構成するフラップ付きガゼット袋の製造方法であって、袋体１の前側面２を形成する前側面シート２０に、前側面２の上端部より上方に延長されるヘッダー部３Ａを形成するヘッダーシート３０Ａが一体に形成された後側面シート３０を平行に重合する重合工程と、後側面シート３０のヘッダーシート３０Ａ前面にフラップ５を形成するフラップシート５０を装着するフラップシート装着工程と、フラップ５と前側面２とを着脱自在に接合せしめる接合部材を、前側面シート２０の前面とフラップシート５０の後面とのいずれか一方又は両方に予め接着しておく接合部材接着工程と、前側面シート２０と後側面シート３０との間に側面用のガゼット４を形成せしめるガゼット帯体４０を挿入して溶着するガゼット帯体溶着工程と、ガゼット帯体４０が溶着された前側面シート２０と後側面シート３０及びフラップシート５０とヘッダーシート３０Ａとをガゼット帯体４０が左右に二分される位置でカットするカット工程と、を有する製造方法にある。
【００１５】
第５の手段は、前記フラップシート装着工程において、前記ヘッダーシート３０Ａの前面に前記フラップシート５０を溶着して装着するものである。
【００１６】
第６の手段は、前記フラップシート装着工程において、前記ヘッダーシート３０Ａの上端部から前記フラップシート５０を延長形成し、該フラップシート５０を前側面シート２０方向へ折り加工することにある。
【００１７】
第７の手段は、前記接合部材配設工程において、粘着面６Ａに剥離シート６Ｂが付着され該粘着面６Ａでフラップ５と前側面２とを着脱自在に接合せしめる粘着テープ６を、前記前側面シート２０の前面と前記フラップシート５０の後面とのいずれか一方に予め接着するものである。
【００１８】
第８の手段は、前記接合部材配設工程において、前記フラップ５と前記前側面２との双方に、互いに接合自在なジッパー又は面ファスナーを接着することを課題解消のための手段とする。
【発明の効果】
【００１９】
本発明の請求項１に記載のフラップ付きガゼット袋により、合成樹脂製の袋体１の開口部をフラップ５で開閉自在に施蓋して該フラップ５を前側面２に着脱自在に接合することができる。しかも、通常のガゼット袋として自立可能になると共に、ヘッダー部３Ａを使用した展示も可能になり、極めて多用途、広範囲な使用が可能になるものである。
【００２０】
請求項２、３に記載の接合部材によると、フラップ５を前側面２に着脱自在に接合することが可能になり、フラップ５の開閉操作を容易にする。
【００２１】
請求項４の製造方法によると、フラップシート装着工程と、接合部材接着工程と、ガゼット帯体溶着工程と、カット工程とにより、これまで当業界で困難とされていたフラップ付きガゼット袋の提供を可能にした。しかも、ガゼット袋の製造と共にフラップを効率良く装着できる。
【００２２】
請求項５、６のフラップシート装着工程によると、フラップシート５０の装着工程を合理化することができる。
【００２３】
請求項７、８に記載の接合部材配設工程によると、フラップ５を前側面２に着脱自在に接合する接合部材を確実に装着できる。
【図面の簡単な説明】
【００２４】
【図１】本発明の一実施例を示す斜視図である。
【図２】本発明の一実施例を自立させた状態を示す斜視図である。
【図３】本発明の他の実施例を示す斜視図である。
【図４】本発明の他の実施例を自立させた状態を示す斜視図である。
【図５】本発明の一実施例の製造方法を示す工程図である。
【図６】本発明の一実施例の製造方法による断面図である。
【図７】本発明の他の実施例の製造方法を示す工程図である。
【図８】本発明の他の実施例の製造方法を示す工程図である。
【図９】本発明の他の実施例の製造方法による断面図である。
【図１０】本発明の他の実施例の製造方法を示す工程図である。
【発明を実施するための形態】
【００２５】
本発明によると、ガゼット袋の開口部に、該開口部を施蓋するフラップを装着することにより、多用途、広範囲な使用が可能になるなどといった種々の効果を実現した。
【実施例１】
【００２６】
本発明フラップ付きガゼットの基本構成は、左右側面にガゼット４が形成された合成樹脂製の袋体１にて構成され、開口する上部にフラップ５を設けたものである。したがって袋体１の開口部は、前側面２、後側面３、ガゼット４にて囲まれており、後側面３には更に前側面２の上端部より上方に延長されたヘッダー部３Ａを延長している（図１参照）。
【００２７】
本発明の材質として、例えば、ポリプロピレンフィルムにナイロンフィルムがラミネートされたフィルム材や、LDPEフィルム、HDPEフィルム、PETフィルム、アルミ蒸着フィルムなど任意の合成樹脂材を使用することが可能である。
【００２８】
フラップ５は、このヘッダー部３Ａの前面に設けられるもので、開口部から前側面２にかけて覆う部材である（図２参照）。このとき、フラップ５は、開口部を閉じた状態で施蓋して前側面２に重合する長さに形成するほか、開口部が開いた状態で施蓋して前側面２に重合する長さに形成することも可能である。そして、フラップ５と前側面２とのいずれか一方又は両方に、フラップ５と前側面２とを着脱自在に接合せしめる接合部材を設けている。
【００２９】
図示例の接合部材は、いずれも粘着テープ６を使用している。この粘着テープ６は、フラップ５と前側面２とのいずれか一方に予め接着しておくものである。図１、図２は、前側面２に粘着テープ６を接着したもので、また、図３、図４は、フラップ５に粘着テープ６を接着した状態を示している。この粘着テープ６には、例えばHDPE製の剥離シート６Ｂが付着されており、この粘着テープ６を使用するまでは、他の部材に接着しないようにしている（図５、図８参照）。
【００３０】
更に、接合部材の他の実施例として、例えば、前記フラップ５と前記前側面２との双方に設けられ、互いに嵌合自在なジッパー又は面ファスナーとすることも可能である（図示せず）。
【００３１】
次に本発明フラップ付きガゼット袋の製造方法を説明する。本発明の製造方法には、次の工程が含まれるものである。すなわち、重合工程、フラップシート装着工程、接合部材接着工程、ガゼット帯体溶着工程、カット工程、である。
【００３２】
重合工程は、袋体１の前側面２を形成する前側面シート２０と、後側面シート３０とを平行に重合する工程である。この後側面シート３０には、前側面２の上端部より上方に延長されるヘッダー部３Ａを形成するヘッダーシート３０Ａが一体に形成されているので、このヘッダーシート３０Ａ部分は前側面シート２０と重なり合わない。
【００３３】
フラップシート装着工程は、後側面シート３０のヘッダーシート３０Ａ前面にフラップ５を形成するフラップシート５０を装着する工程である。図５乃至図７は、ヘッダーシート３０Ａの前面に前記フラップシート５０を溶着手段にて装着する状態を示している。このようなフラップシート５０によると図６のような断面構造になる。
【００３４】
また、図８乃至図１０は、ヘッダーシート３０Ａの上端部からフラップシート５０を延長形成し、該フラップシート５０を前側面シート２０がわへ折り加工することで、フラップシート５０を装着した状態を示している。図示例では、ヘッダーシート３０Ａの上端から折り返されたフラップシート５０の一部をヘッダーシート３０Ａの前面に溶着している。このようなフラップシート５０によると図９のような断面構造になる。
【００３５】
接合部材接着工程は、フラップ５と前側面２とを着脱自在に接合せしめる接合部材を、前側面シート２０の前面とフラップシート５０の後面とのいずれか一方又は両方に予め接着しておく工程である。図５及び図６に示す接合部材は、粘着面６Ａに剥離シート６Ｂが付着された粘着テープ６を使用したものである。すなわち、図５に示す如く、前側面シート２０の前面に予め粘着テープ６接着し、この粘着テープ６に剥離シート６Ｂを付着しておくことで、前記重合工程において、前側面シート２０上にフラップシート５０を重ねたときに、粘着テープ６に接着されずに済む（図６参照）。
【００３６】
一方、図７は、フラップシート５０の後面に剥離シート６Ｂ付の粘着テープ６を予め接着したものである。このような接合部材接着工程によっても、前記重合工程において、前側面シート２０上にフラップシート５０を重ねたときに、粘着テープ６に接着されずに済む。
【００３７】
更に、この他の接合部材配設工程として、フラップ５と前側面２との双方に、互いに嵌合自在なジッパー又は面ファスナーを接着することも可能である（図示せず）。
【００３８】
ガゼット帯体溶着工程は、前側面シート２０と後側面シート３０との間に側面用のガゼット４を形成せしめるガゼット帯体４０を挿入して溶着する工程である（図５、図７、図８参照）。このガゼット帯体４０は、一対のガゼット４が帯状に組み合わされた状態を成し、ガゼット帯体４０を長さ方向に二分すると、一対のガゼット４が形成されるものである。ガゼット帯体溶着工程は、このようなガゼット帯体４０を前側面シート２０と後側面シート３０との間に溶着する工程である。
【００３９】
カット工程は、ガゼット帯体４０が溶着された前側面シート２０と後側面シート３０及びフラップシート５０とヘッダーシート３０Ａとを、ガゼット帯体４０が左右に二分される位置でカットする工程である。このとき、重合された前側面シート２０と後側面シート３０との間には、既にガゼット帯体４０が配置されているので、このカット工程と共に、ガゼット帯体溶着工程を行うことも可能である。このように、本発明製造方法において、各工程の作業順序は任意に変更できるものであり、これらの工程が含まれる製造方法であれば良い。
【００４０】
また、後側面シート３０には、既にフラップシート５０が装着されているので、このフラップシート５０も後側面シート３０と同時にカットされる。したがって、フラップシート装着工程も、このカット工程と同時に行うことが可能である。
【００４１】
更に、カット工程により、前側面シート２０、フラップシート５０のいずれか一方又は両方に接着されている接合部材も同時にカットされる。この結果、カット工程により、本発明フラップ付のガゼット袋が形成されるものである。尚、溶着手段は、例えば超音波溶着、熱接着、ウェルダー溶着などから選択可能であり、また、接着手段の接着材も材料に適した接着剤の選択が可能である。
【産業上の利用可能性】
【００４２】
本発明は、横ガゼットと称するタイプから、底部にガゼットを設けた底ガゼットタイプまで自由に選択することができる。また、本発明の構成は図示例に限定されるものではなく、本発明の要旨を変更しない範囲で自由な設計変更が可能である。
【符号の説明】
【００４３】
１  袋体
２  前側面
３  後側面
３Ａ  ヘッダー部
４  ガゼット
５  フラップ
６  粘着テープ
６Ａ  粘着面
６Ｂ  剥離シート
２０  前側面シート
３０  後側面シート
３０Ａ  ヘッダーシート
４０  ガゼット帯体
５０  フラップシート
【図１】
2011073772.tif 000003
【図２】
2011073772.tif 000004
【図３】
2011073772.tif 000005
【図４】
2011073772.tif 000006
【図５】
2011073772.tif 000007
【図６】
2011073772.tif 000008
【図７】
2011073772.tif 000009
【図８】
2011073772.tif 000010
【図９】
2011073772.tif 000011
【図１０】
2011073772.tif 000012
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
左右側面にガゼットが形成された合成樹脂製の袋体で該袋体の開口部は、前側面、後側面、ガゼットにて囲まれており、該開口部を開閉自在に施蓋するフラップを構成するフラップ付きガゼット袋であって、
袋体の後側面は前側面の上端部より上方に延長されたヘッダー部を備え、該ヘッダー部の前面に開口部から前側面にかけて覆うフラップが設けられ、該フラップと前側面とのいずれか一方又は両方に、粘着面でフラップと前側面とを着脱自在に接合せしめる粘着テープを、該粘着面に剥離シートが付着された状態で接着したことを特徴とするフラップ付きガゼット袋。
【請求項２】
左右側面にガゼットが形成された合成樹脂製の袋体で、該袋体の開口部は前側面、後側面、ガゼットにて囲まれており、該開口部を開閉自在に施蓋するフラップを構成するフラップ付きガゼット袋の製造方法であって、
袋体の前側面を形成する前側面シートに、前側面の上端部より上方に延長されるヘッダー部を形成するヘッダーシートが一体に形成された後側面シートを平行に重合する重合工程と、
後側面シートのヘッダーシート前面にフラップを形成するフラップシートを装着するフラップシート装着工程と、
フラップと前側面とを着脱自在に接合せしめる接合部材を、前側面シートの前面とフラップシートの後面とのいずれか一方又は両方に予め接着しておく接合部材接着工程と、
前側面シートと後側面シートとの間に側面用のガゼットを形成せしめるガゼット帯体を挿入して溶着するガゼット帯体溶着工程と、
ガゼット帯体が溶着された前側面シートと後側面シート及びフラップシートとヘッダーシートとをガゼット帯体が左右に二分される位置でカットするカット工程と、を有し、前記接合部材配設工程において、粘着面でフラップと前側面とを着脱自在に接合せしめる粘着テープを、該粘着面に剥離シートが付着された状態で、前記前側面シートの前面と前記フラップシートの後面とのいずれか一方に予め接着することを特徴とするフラップ付きガゼット袋の製造方法。
【請求項３】
前記フラップシート装着工程において、前記ヘッダーシートの前面に前記フラップシートを溶着して装着する請求項２記載のフラップ付きガゼット袋の製造方法。
【請求項４】
前記フラップシート装着工程において、前記ヘッダーシートの上端部から前記フラップシートを延長形成し、該フラップシートを前側面シート方向へ折り加工する請求項２記載のフラップ付きガゼット袋の製造方法。
【手続補正２】
【補正対象書類名】明細書
【補正対象項目名】００１１
【補正方法】変更
【補正の内容】
【００１１】
上述の目的を達成すべく本発明における第１の手段は、左右側面にガゼット４が形成された合成樹脂製の袋体１で、該袋体１の開口部は前側面２、後側面３、ガゼット４にて囲まれており、該開口部を開閉自在に施蓋するフラップ５を構成するフラップ付きガゼット袋であって、袋体１の後側面３は前側面２の上端部より上方に延長されたヘッダー部３Ａを備え、該ヘッダー部３Ａの前面に開口部から前側面２にかけて覆うフラップ５が設けられ、該フラップ５と前側面２とのいずれか一方又は両方に、粘着面６Ａでフラップ５と前側面２とを着脱自在に接合せしめる粘着テープ６を、該粘着面６Ａに剥離シート６Ｂが付着された状態で接着したことにある。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
第２の手段は、左右側面にガゼット４が形成された合成樹脂製の袋体１で、該袋体１の開口部は前側面２、後側面３、ガゼット４にて囲まれており、該開口部を開閉自在に施蓋するフラップ５を構成するフラップ付きガゼット袋の製造方法であって、袋体１の前側面２を形成する前側面シート２０に、前側面２の上端部より上方に延長されるヘッダー部３Ａを形成するヘッダーシート３０Ａが一体に形成された後側面シート３０を平行に重合する重合工程と、後側面シート３０のヘッダーシート３０Ａ前面にフラップ５を形成するフラップシート５０を装着するフラップシート装着工程と、フラップ５と前側面２とを着脱自在に接合せしめる接合部材を、前側面シート２０の前面とフラップシート５０の後面とのいずれか一方又は両方に予め接着しておく接合部材接着工程と、前側面シート２０と後側面シート３０との間に側面用のガゼット４を形成せしめるガゼット帯体４０を挿入して溶着するガゼット帯体溶着工程と、ガゼット帯体４０が溶着された前側面シート２０と後側面シート３０及びフラップシート５０とヘッダーシート３０Ａとをガゼット帯体４０が左右に二分される位置でカットするカット工程と、を有し、前記接合部材配設工程において、粘着面６Ａでフラップ５と前側面２とを着脱自在に接合せしめる粘着テープ６を、該粘着面６Ａに剥離シート６Ｂが付着された状態で、前記前側面シート２０の前面と前記フラップシート５０の後面とのいずれか一方に予め接着する製造方法にある。
【手続補正６】
【補正対象書類名】明細書
【補正対象項目名】００１５
【補正方法】変更
【補正の内容】
【００１５】
第３の手段は、前記フラップシート装着工程において、前記ヘッダーシート３０Ａの前面に前記フラップシート５０を溶着して装着するものである。
【手続補正７】
【補正対象書類名】明細書
【補正対象項目名】００１６
【補正方法】変更
【補正の内容】
【００１６】
第４の手段は、前記フラップシート装着工程において、前記ヘッダーシート３０Ａの上端部から前記フラップシート５０を延長形成し、該フラップシート５０を前側面シート２０方向へ折り加工することにある。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
本発明の請求項１に記載のフラップ付きガゼット袋により、合成樹脂製の袋体１の開口部をフラップ５で開閉自在に施蓋して該フラップ５を前側面２に着脱自在に接合することができる。しかも、通常のガゼット袋として自立可能になると共に、ヘッダー部３Ａを使用した展示も可能になり、極めて多用途、広範囲な使用が可能になるものである。更に、フラップ５を前側面２に着脱自在に接合することが可能になり、フラップ５の開閉操作を容易にする。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
請求項２の製造方法によると、フラップシート装着工程と、接合部材接着工程と、ガゼット帯体溶着工程と、カット工程とにより、これまで当業界で困難とされていたフラップ付きガゼット袋の提供を可能にした。しかも、ガゼット袋の製造と共にフラップを効率良く装着できる。また、フラップ５を前側面２に着脱自在に接合する接合部材を確実に装着できる。
【手続補正１３】
【補正対象書類名】明細書
【補正対象項目名】００２２
【補正方法】変更
【補正の内容】
【００２２】
請求項３、４のフラップシート装着工程によると、フラップシート５０の装着工程を合理化することができる。
【手続補正１４】
【補正対象書類名】明細書
【補正対象項目名】００２３
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３７
【補正方法】削除
【補正の内容】
【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
左右側面にガゼットが形成された合成樹脂製の袋体で、該袋体の開口部は前側面、後側面、ガゼットにて囲まれており、該開口部を開閉自在に施蓋するフラップを構成するフラップ付きガゼット袋の製造方法であって、
袋体の前側面を形成する前側面シートに、前側面の上端部より上方に延長されるヘッダー部を形成するヘッダーシートが一体に形成された後側面シートを平行に重合する重合工程と、
後側面シートのヘッダーシート前面にフラップを形成するフラップシートを装着するフラップシート装着工程と、
フラップと前側面とを着脱自在に接合せしめる接合部材を、前側面シートの前面とフラップシートの後面とのいずれか一方又は両方に予め接着しておく接合部材接着工程と、
前側面シートと後側面シートとの間に側面用のガゼットを形成せしめるガゼット帯体を挿入して溶着するガゼット帯体溶着工程と、
ガゼット帯体が溶着された前側面シートと後側面シート及びフラップシートとヘッダーシートとをガゼット帯体が左右に二分される位置でカットするカット工程と、を有し、前記接合部材配設工程において、粘着面でフラップと前側面とを着脱自在に接合せしめる粘着テープを、該粘着面に剥離シートが付着された状態で、前記前側面シートの前面と前記フラップシートの後面とのいずれか一方に予め接着することを特徴とするフラップ付きガゼット袋の製造方法。
【請求項２】
前記フラップシート装着工程において、前記ヘッダーシートの前面に前記フラップシートを溶着して装着する請求項１記載のフラップ付きガゼット袋の製造方法。
【請求項３】
前記フラップシート装着工程において、前記ヘッダーシートの上端部から前記フラップシートを延長形成し、該フラップシートを前側面シート方向へ折り加工する請求項１記載のフラップ付きガゼット袋の製造方法。
【手続補正２】
【補正対象書類名】明細書
【補正対象項目名】全文
【補正方法】変更
【補正の内容】
【発明の詳細な説明】
【技術分野】
【０００１】
本発明は、合成樹脂製のガゼット袋の開口部に設けたフラップを袋前面に着脱自在に接着させることができるフラップ付きガゼット袋の製造方法に関する。
【背景技術】
【０００２】
開口部に設けたフラップで、この開口部を開閉自在に施蓋するタイプの包装用袋は、収納物を出し入れすることができるので、多くの包装用袋に使用されている。更に、袋側面にマチ部を設けた横ガゼットタイプの袋は、平袋に比べて収納容積が大きく、しかも自立可能になるので、広い用途で使用されている。
【０００３】
特許文献１は、平袋の開口部にフラップを設けた万引き防止機能付きの包装用袋が記載されている。この包装用袋には、特に陳列棚の吊杆に吊下げるためのヘッダー部を設けており、このヘッダー部に万引き防止検知タグを装着したものである。
【０００４】
特許文献２は、袋の底部に開口部とフラップを設け、袋の上部にヘッダー部を設けた不正開封を防止する包装袋が記載されている。この包装袋では、フラップの接着手段を工夫することで不正開封を防止しようとするものである。
【０００５】
特許文献３は、袋体の上部に開口部と該開口部を開封自在に閉じるジッパーを設けたガゼット袋が記載されている。このガゼット袋は、ガゼット袋の開口部にジッパー部材の装着を簡易にしようとするものなので、フラップやヘッダー部の構成は記載されていない。
【先行技術文献】
【特許文献】
【０００６】
【特許文献１】実開平７‐３１６３６号公報
【特許文献２】特許第３３７２８７５号公報
【特許文献３】特許第３１００７４９号公報
【発明の概要】
【発明が解決しようとする課題】
【０００７】
特許文献１の包装用袋のごとく、袋の上部に開口部とフラップが構成することで、広い用途に使用可能になる。ところが、特許文献１は平袋を使用しているので、容量が少なく自立性がないので、ヘッダー部による展示用の包装袋に限定されている。
【０００８】
また、特許文献２の如く、包装用袋の下端部に開口部やフラップを形成する包装袋では自立させることができず、ヘッダー部を利用して展示する包装袋に限られるなど、用途が限定される不都合がある。
【０００９】
一方、特許文献３の如く、ガゼット袋の開口部にジッパーを設けた包装袋は、多用途、広範囲な使用が可能になる。しかしながら当業界において、このようなガゼット袋にフラップを装着することは、製造上極めて困難なこととされており、従来では、開口部にフラップを備えたガゼット袋はこれまで提供されていなかった。
【００１０】
そこで本発明は上述の課題を解消すべく創出されたもので、より多用途、広範囲な使用が可能になるフラップ付きガゼット袋の製造方法の提供を目的とするものである。
【課題を解決するための手段】
【００１１】
第１の手段は、左右側面にガゼット４が形成された合成樹脂製の袋体１で、該袋体１の開口部は前側面２、後側面３、ガゼット４にて囲まれており、該開口部を開閉自在に施蓋するフラップ５を構成するフラップ付きガゼット袋の製造方法であって、袋体１の前側面２を形成する前側面シート２０に、前側面２の上端部より上方に延長されるヘッダー部３Ａを形成するヘッダーシート３０Ａが一体に形成された後側面シート３０を平行に重合する重合工程と、後側面シート３０のヘッダーシート３０Ａ前面にフラップ５を形成するフラップシート５０を装着するフラップシート装着工程と、フラップ５と前側面２とを着脱自在に接合せしめる接合部材を、前側面シート２０の前面とフラップシート５０の後面とのいずれか一方又は両方に予め接着しておく接合部材接着工程と、前側面シート２０と後側面シート３０との間に側面用のガゼット４を形成せしめるガゼット帯体４０を挿入して溶着するガゼット帯体溶着工程と、ガゼット帯体４０が溶着された前側面シート２０と後側面シート３０及びフラップシート５０とヘッダーシート３０Ａとをガゼット帯体４０が左右に二分される位置でカットするカット工程と、を有し、前記接合部材配設工程において、粘着面６Ａでフラップ５と前側面２とを着脱自在に接合せしめる粘着テープ６を、該粘着面６Ａに剥離シート６Ｂが付着された状態で、前記前側面シート２０の前面と前記フラップシート５０の後面とのいずれか一方に予め接着する製造方法にある。
【００１２】
第２の手段は、前記フラップシート装着工程において、前記ヘッダーシート３０Ａの前面に前記フラップシート５０を溶着して装着するものである。
【００１３】
第３の手段は、前記フラップシート装着工程において、前記ヘッダーシート３０Ａの上端部から前記フラップシート５０を延長形成し、該フラップシート５０を前側面シート２０方向へ折り加工することにある。
【発明の効果】
【００１４】
請求項１の製造方法によると、フラップシート装着工程と、接合部材接着工程と、ガゼット帯体溶着工程と、カット工程とにより、これまで当業界で困難とされていたフラップ付きガゼット袋の提供を可能にした。しかも、ガゼット袋の製造と共にフラップを効率良く装着できる。また、フラップ５を前側面２に着脱自在に接合する接合部材を確実に装着できる。
【００１５】
請求項２、３のフラップシート装着工程によると、フラップシート５０の装着工程を合理化することができる。
【図面の簡単な説明】
【００１６】
【図１】本発明の一実施例を示す斜視図である。
【図２】本発明の一実施例を自立させた状態を示す斜視図である。
【図３】本発明の他の実施例を示す斜視図である。
【図４】本発明の他の実施例を自立させた状態を示す斜視図である。
【図５】本発明の一実施例の製造方法を示す工程図である。
【図６】本発明の一実施例の製造方法による断面図である。
【図７】本発明の他の実施例の製造方法を示す工程図である。
【図８】本発明の他の実施例の製造方法を示す工程図である。
【図９】本発明の他の実施例の製造方法による断面図である。
【図１０】本発明の他の実施例の製造方法を示す工程図である。
【発明を実施するための形態】
【００１７】
本発明によると、ガゼット袋の開口部に、該開口部を施蓋するフラップを装着することにより、多用途、広範囲な使用が可能になるなどといった種々の効果を実現した。
【実施例】
【００１８】
本発明フラップ付きガゼットの基本構成は、左右側面にガゼット４が形成された合成樹脂製の袋体１にて構成され、開口する上部にフラップ５を設けたものである。したがって袋体１の開口部は、前側面２、後側面３、ガゼット４にて囲まれており、後側面３には更に前側面２の上端部より上方に延長されたヘッダー部３Ａを延長している（図１参照）。
【００１９】
本発明の材質として、例えば、ポリプロピレンフィルムにナイロンフィルムがラミネートされたフィルム材や、LDPEフィルム、HDPEフィルム、PETフィルム、アルミ蒸着フィルムなど任意の合成樹脂材を使用することが可能である。
【００２０】
フラップ５は、このヘッダー部３Ａの前面に設けられるもので、開口部から前側面２にかけて覆う部材である（図２参照）。このとき、フラップ５は、開口部を閉じた状態で施蓋して前側面２に重合する長さに形成するほか、開口部が開いた状態で施蓋して前側面２に重合する長さに形成することも可能である。そして、フラップ５と前側面２とのいずれか一方又は両方に、フラップ５と前側面２とを着脱自在に接合せしめる接合部材を設けている。
【００２１】
図示例の接合部材は、いずれも粘着テープ６を使用している。この粘着テープ６は、フラップ５と前側面２とのいずれか一方に予め接着しておくものである。図１、図２は、前側面２に粘着テープ６を接着したもので、また、図３、図４は、フラップ５に粘着テープ６を接着した状態を示している。この粘着テープ６には、例えばHDPE製の剥離シート６Ｂが付着されており、この粘着テープ６を使用するまでは、他の部材に接着しないようにしている（図５、図８参照）。
【００２２】
本発明の製造方法には次の工程が含まれる。すなわち、重合工程、フラップシート装着工程、接合部材接着工程、ガゼット帯体溶着工程、カット工程である。
【００２３】
重合工程は、袋体１の前側面２を形成する前側面シート２０と、後側面シート３０とを平行に重合する工程である。この後側面シート３０には、前側面２の上端部より上方に延長されるヘッダー部３Ａを形成するヘッダーシート３０Ａが一体に形成されているので、このヘッダーシート３０Ａ部分は前側面シート２０と重なり合わない。
【００２４】
フラップシート装着工程は、後側面シート３０のヘッダーシート３０Ａ前面にフラップ５を形成するフラップシート５０を装着する工程である。図５乃至図７は、ヘッダーシート３０Ａの前面に前記フラップシート５０を溶着手段にて装着する状態を示している。このようなフラップシート５０によると図６のような断面構造になる。
【００２５】
また、図８乃至図１０は、ヘッダーシート３０Ａの上端部からフラップシート５０を延長形成し、該フラップシート５０を前側面シート２０がわへ折り加工することで、フラップシート５０を装着した状態を示している。図示例では、ヘッダーシート３０Ａの上端から折り返されたフラップシート５０の一部をヘッダーシート３０Ａの前面に溶着している。このようなフラップシート５０によると図９のような断面構造になる。
【００２６】
接合部材接着工程は、フラップ５と前側面２とを着脱自在に接合せしめる接合部材を、前側面シート２０の前面とフラップシート５０の後面とのいずれか一方又は両方に予め接着しておく工程である。図５及び図６に示す接合部材は、粘着面６Ａに剥離シート６Ｂが付着された粘着テープ６を使用したものである。すなわち、図５に示す如く、前側面シート２０の前面に予め粘着テープ６接着し、この粘着テープ６に剥離シート６Ｂを付着しておくことで、前記重合工程において、前側面シート２０上にフラップシート５０を重ねたときに、粘着テープ６に接着されずに済む（図６参照）。
【００２７】
一方、図７は、フラップシート５０の後面に剥離シート６Ｂ付の粘着テープ６を予め接着したものである。このような接合部材接着工程によっても、前記重合工程において、前側面シート２０上にフラップシート５０を重ねたときに、粘着テープ６に接着されずに済む。
【００２８】
ガゼット帯体溶着工程は、前側面シート２０と後側面シート３０との間に側面用のガゼット４を形成せしめるガゼット帯体４０を挿入して溶着する工程である（図５、図７、図８参照）。このガゼット帯体４０は、一対のガゼット４が帯状に組み合わされた状態を成し、ガゼット帯体４０を長さ方向に二分すると、一対のガゼット４が形成されるものである。ガゼット帯体溶着工程は、このようなガゼット帯体４０を前側面シート２０と後側面シート３０との間に溶着する工程である。
【００２９】
カット工程は、ガゼット帯体４０が溶着された前側面シート２０と後側面シート３０及びフラップシート５０とヘッダーシート３０Ａとを、ガゼット帯体４０が左右に二分される位置でカットする工程である。このとき、重合された前側面シート２０と後側面シート３０との間には、既にガゼット帯体４０が配置されているので、このカット工程と共に、ガゼット帯体溶着工程を行うことも可能である。このように、本発明製造方法において、各工程の作業順序は任意に変更できるものであり、これらの工程が含まれる製造方法であれば良い。
【００３０】
また、後側面シート３０には、既にフラップシート５０が装着されているので、このフラップシート５０も後側面シート３０と同時にカットされる。したがって、フラップシート装着工程も、このカット工程と同時に行うことが可能である。
【００３１】
更に、カット工程により、前側面シート２０、フラップシート５０のいずれか一方又は両方に接着されている接合部材も同時にカットされる。この結果、カット工程により、本発明フラップ付のガゼット袋が形成されるものである。尚、溶着手段は、例えば超音波溶着、熱接着、ウェルダー溶着などから選択可能であり、また、接着手段の接着材も材料に適した接着剤の選択が可能である。
【産業上の利用可能性】
【００３２】
本発明は、横ガゼットと称するタイプから、底部にガゼットを設けた底ガゼットタイプまで自由に選択することができる。また、本発明の製造方法は実施例に限定されるものではなく、本発明の要旨を変更しない範囲で自由な設計変更が可能である。
【符号の説明】
【００３３】
１  袋体
２  前側面
３  後側面
３Ａ  ヘッダー部
４  ガゼット
５  フラップ
６  粘着テープ
６Ａ  粘着面
６Ｂ  剥離シート
２０  前側面シート
３０  後側面シート
３０Ａ  ヘッダーシート
４０  ガゼット帯体
５０  フラップシート